(57)【要約】【課題】  トイレロールをトイレ内ですっきりと保管でき、且つ１個ずつ簡単に取り出すことのできるトイレロールストッカーの提供。【解決手段】  複数のトイレロール６を上下方向に積み重ねて収容するストッカー本体１と、ストッカー本体１の下部より前方に引き出し可能に設けた引き出し２とを備え、ストッカー本体１は、上部にトイレロール６の投入口３を有し、引き出し２は、ストッカー本体１内の一番下のトイレロール６ａを収容する収容部４と、引き出し２を引き出したときに次のトイレロール６ｂを受ける受け板５を設けてある。【選択図】      図４
0003188030.tif 000002
【実用新案登録請求の範囲】
【請求項１】
複数のトイレロールを上下方向に積み重ねて収容するストッカー本体と、ストッカー本体の下部より前方に引き出し可能に設けた引き出しとを備え、ストッカー本体は、上部にトイレロールの投入口を有し、引き出しは、ストッカー本体内の一番下のトイレロールを収容する収容部と、引き出しを引き出したときに次のトイレロールを受ける受け板を設けてあることを特徴とするトイレロールストッカー。
【請求項２】
トイレロールを芯を前後方向に向けて収容することを特徴とする請求項１記載のトイレロールストッカー。
【考案の詳細な説明】
【技術分野】
【０００１】
本考案は、ロール巻トイレットペーパー（トイレロール）を複数個収容し、１個ずつ簡単に取り出すことのできるトイレロールストッカーに関する。
【背景技術】
【０００２】
従来トイレロールは、トイレ内に設置した棚や窓枠の上などに積み重ねて保管している。そのようにトイレロールを積み重ねて保管していると、トイレの美観が損なわれるばかりか、トイレロールが高いところにあって取りづらいことがあった。
【考案の概要】
【考案が解決しようとする課題】
【０００３】
本考案は以上に述べた実情に鑑み、トイレロールをトイレ内ですっきりと保管でき、且つ１個ずつ簡単に取り出すことのできるトイレロールストッカーの提供を目的とする。
【課題を解決するための手段】
【０００４】
上記の課題を達成するために請求項１記載の考案によるトイレロールストッカーは、複数のトイレロールを上下方向に積み重ねて収容するストッカー本体と、ストッカー本体の下部より前方に引き出し可能に設けた引き出しとを備え、ストッカー本体は、上部にトイレロールの投入口を有し、引き出しは、ストッカー本体内の一番下のトイレロールを収容する収容部と、引き出しを引き出したときに次のトイレロールを受ける受け板を設けてあることを特徴とする。
【０００５】
請求項２記載の考案によるトイレロールストッカーは、請求項１記載の構成に加え、トイレロールを芯を前後方向に向けて収容することを特徴とする。
【考案の効果】
【０００６】
請求項１記載の考案によるトイレロールストッカーは、ストッカー本体に複数のトイレロールを上下方向に積み重ねて収容することで、トイレロールをトイレ内ですっきりと保管できる。さらに本考案のトイレロールストッカーは、ストッカー本体の下部より前方に引き出し可能に設けた引き出しを備え、引き出しは、ストッカー本体内の一番下のトイレロールを収容する収容部と、引き出しを引き出したときに次のトイレロールを受ける受け板を設けてあるので、引き出しを出し入れすることで、トイレロールを下から順に１個ずつ簡単に取り出すことができる。
【０００７】
請求項２記載の考案によるトイレロールストッカーは、トイレロールを芯を前後方向に向けて収容することで、トイレロールが側板間で噛み込んで詰まったり、引き出しを前方に引き出す際にトイレロール同士が噛み込んだりするのを防止でき、固く巻いたトイレロール、柔らかく巻いたトイレロールの何れであっても、確実に１個ずつ取り出すことができる。
【図面の簡単な説明】
【０００８】
【図１】本考案に係るトイレロールストッカーの一実施形態を示す正面図である。
【図２】同トイレロールストッカーの側面図である。
【図３】図１のＡ−Ａ断面図である。
【図４】引き出しを引き出したときの状態を示す縦断面図である。
【図５】引き出しを引き出してトイレロールを１個取り出した後、引き出しを戻したときの状態を示す縦断面図である。
【図６】引き出しを取り外すときの状態を示す縦断面図である。
【考案を実施するための形態】
【０００９】
以下、本考案の実施の形態を図面に基づいて説明する。図１〜６は、本考案に係るトイレロールストッカーの一実施形態を示している。本トイレロールストッカーは、図１〜３に示すように、前板７、後板８、一対の側板９，９、天板１０、底板１１を組み合わせて、縦長の箱状のストッカー本体１を形成し、ストッカー本体１の内部には仕切り板１２が設けられ、複数のトイレロール６を上下方向に積み重ねて収容する収容室１３が形成してある。トイレロール６は、芯を前後方向に向けて収容しており、合計６個収容できる。前板７には、トイレロール６の残数を確認するための窓１４が、上下方向に間隔をおいて複数設けてある。
ストッカー本体１の前面上部には、トイレロール６の投入口３が設けてあり、投入口３は蝶番１５により開閉自在に取付けた扉１６で塞がれるようになっている。ストッカー本体１の前面下部には、トイレロール６を取り出すための開口部１７が形成され、その開口部１７に引き出し２が前方に引き出し可能に設けてある。扉１６と引き出し２には、取っ手１８ａ，１８ｂが取付けてある。本トイレロールストッカーは、木製である。
【００１０】
引き出し２は、図３に示すように、前板１９と底板２０と背板２１とで、一番下のトイレロール６ａを収容する収容部４が設けてある。収容部４の後方には、引き出し２を引き出したときに下から２番目のトイレロール６ｂを受ける受け板５が設けてある。受け板５は、底板２０の上面からトイレロール６の１個分の高さよりも低い位置に設けてある。
【００１１】
ストッカー本体１の底板１１上には、図１に示すように、アルミの帯板を用いてなる一対のレール２２，２２が左右方向に間隔をおいて設けられ、引き出し２の下面の後方位置に突設した係合部２３がレール２２，２２間に係合している。またストッカー本体１の底板１１上の前方位置には、図３，４に示すように、引き出し２を前方に引き出したときに引き出し２の係合部２３に当接するストッパー２４が設けてある。引き出し２を取り外す際には、図６に示すように、引き出し２を後方に押し込んだ状態で手前に少し傾けることで、係合部２３がレール２２，２２間から外れ、その後、引き出し２を前方に引き出せばよい。
【００１２】
本トイレロールストッカーは、図４に示すように、引き出し２を前方に引き出すと、一番下にあったトイレロール６ａが引き出し２の収容部４に収容された状態で前方に引き出される。このとき、２番目のトイレロール６ｂは引き出し２後部の受け板５上に載る。その後、引き出し２からトイレロール６ａを抜き取り、引き出し２を戻すと、図５に示すように、受け板５上に載っていたトイレロール６ｂが引き出し２の収容部４に落ちる。このように、引き出し２を出し入れすることで、トイレロール６を１個ずつ取り出すことができる。トイレロール６が少なくなったら、扉１６を開いて投入口３より補充する。
【００１３】
以上に述べたように本トイレロールストッカーは、複数のトイレロール６を上下方向に積み重ねて収容することで、トイレロール６をトイレ内ですっきりと保管でき、しかも引き出し２を出し入れすることでトイレロール６を１個ずつ取り出せるので、非常に便利である。引き出し２の収容部４は、側面が開放しているのでトイレロール６が取り出しやすい。
トイレロール６は、芯を左右方向に向けて収容することもできるが、その場合にはトイレロール６が側板９，９間に噛み込んで詰まったり、引き出し２を引き出す際に一番下のトイレロール６ａと２番目のトイレロール６ｂが噛み込み、引き出し２が引き出しにくくなることがある。このような現象は、トイレロール６が柔らかく巻いたトイレロールの場合に生じやすい。本実施形態のように、トイレロール６を芯を前後方向に向けて収容することで、そのような不都合が生じにくく、固く巻いたトイレロール６、柔らかく巻いたトイレロール６の何れであっても、安定して１個ずつ取り出すことができる。
【００１４】
本考案は以上に述べた実施形態に限定されない。ストッカー本体１及び引き出し２の形状・大きさ・材質等は、適宜変更することができる。トイレロール６は、芯を左右方向や上下方向に向けて収容することもできる。
【符号の説明】
【００１５】
１  ストッカー本体
２  引き出し
３  投入口
４  収容部
５  受け板
６  トイレロール
【図１】
0003188030.tif 000003
【図２】
0003188030.tif 000004
【図３】
0003188030.tif 000005
【図４】
0003188030.tif 000006
【図５】
0003188030.tif 000007
【図６】
0003188030.tif 000008